【事件の表示】
　特許第３３４７５０５号「画像形成装置」の請求項１に係る特許に対する特許異議の申立てについて、次のとおり決定する。
【結　論】
　訂正を認める。
　特許第３３４７５０５号の請求項１に係る特許を取り消す。
【理　由】
１．手続の経緯
　特許第３，３４７，５０５号の請求項１に係る発明は、平成７年１月１３日に特許出願され、平成１４年９月６日にその特許権の設定登録がなされ、その後、中石幸明より特許異議の申立てがなされ、取消の理由が通知され、その指定期間内である平成１６年３月１５日に特許異議意見書が提出されるとともに、訂正請求がなされたものである。
　その後、異議申立人、特許権者それぞれから相手方の意見に対する反論が当審の審尋に対する回答書として提出されたものである。
　
２．訂正の適否についての判断
（１）訂正の内容
［訂正事項ａ］
　特許請求の範囲の請求項１に
「【請求項１】　静電潜像が形成される像担持体と、
　前記静電潜像を複数色のトナーのいずれかで現像して前記像担持体上にトナー像を形成する現像手段と、
　前記像担持体と接触回転し各色の前記トナー像を順次転写してカラートナー像を形成する中間転写体と、
　前記中間転写体上に形成された前記カラートナー像を記録媒体に転写する転写手段とを有する画像形成装置において、
　前記中間転写体上に形成される前記カラートナー像の前記記録媒体への転写を開始する前は、前記像担持体上に形成される前記トナー像の前記中間転写体への転写中に前記中間転写体に所定電位を印加するとともに前記トナー像の前記中間転写体への転写終了後は前記所定電位の印加を停止させ、
　前記中間転写体上に形成される前記カラートナー像の前記記録媒体への転写を開始した後は、前記像担持体上に形成される前記トナー像の前記中間転写体への転写が終了しても前記カラートナー像の前記記録媒体への転写が終了するまでは前記所定電位の印加を停止させることなく継続することを特徴とする画像形成装置。」
とあるのを、
「【請求項１】　静電潜像が形成される像担持体と、
　前記静電潜像を複数色のトナーのいずれかで現像して前記像担持体上にトナー像を形成する現像手段と、
　前記像担持体と接触回転し各色の前記トナー像を順次転写してカラートナー像を形成する中間転写体と、
　前記中間転写体上に形成された前記カラートナー像を記録媒体に転写する転写手段とを有する画像形成装置において、
　前記中間転写体上に形成される前記カラートナー像の前記記録媒体への転写を開始する前は、前記像担持体上に形成される前記トナー像の前記中間転写体への転写中に前記中間転写体に所定電位を印加するとともに前記トナー像の前記中間転写体への転写終了後は前記所定電位の印加を停止させ、
　前記中間転写体上に形成される前記カラートナー像の前記記録媒体への転写を開始した後は、
前記カラートナー像の前記記録媒体への転写中に
、
と訂正する。
［訂正事項ｂ］
　発明の詳細な説明の段落【００１５】の記載を削除する。
［訂正事項ｃ］
　発明の詳細な説明の段落【００１６】の記載を
「【課題を解決するための手段】
　上記目的は本発明に係る画像形成装置にて達成される。要約すれば、本発明は、静電潜像が形成される像担持体と、
　前記静電潜像を複数色のトナーのいずれかで現像して前記像担持体上にトナー像を形成する現像手段と、
　前記像担持体と接触回転し各色の前記トナー像を順次転写してカラートナー像を形成する中間転写体と、
　前記中間転写体上に形成された前記カラートナー像を記録媒体に転写する転写手段とを有する画像形成装置において、
　前記中間転写体上に形成される前記カラートナー像の前記記録媒体への転写を開始する前は、前記像担持体上に形成される前記トナー像の前記中間転写体への転写中に前記中間転写体に所定電位を印加するとともに前記トナー像の前記中間転写体への転写終了後は前記所定電位の印加を停止させ、
　前記中間転写体上に形成される前記カラートナー像の前記記録媒体への転写を開始した後は、
前記カラートナー像の前記記録媒体への転写中に
、
と訂正する。
［訂正事項ｄ］
　発明の詳細な説明の段落【０１２２】の記載を
「【発明の効果】
　以上の説明から明らかなように、本発明による画像形成装置は、中間転写体上に形成されるカラートナー像の記録媒体への転写を開始する前は、像担持体上に形成されるトナー像の中間転写体への転写中に中間転写体に所定電位を印加するとともにトナー像の中間転写体への転写終了後は所定電位の印加を停止させ、中間転写体上に形成されるカラートナー像の記録媒体への転写を開始した後は、
前記カラートナー像の前記記録媒体への転写中に
、
と訂正する。
　
（２）訂正の目的の適否、新規事項の有無及び拡張・変更の存否
　訂正事項ａについては、「カラートナー像の記録媒体への転写が終了」する場合を、「前記
カラートナー像の前記記録媒体への転写中に
　訂正事項ｂないしｄは、発明の詳細な説明を特許請求の範囲の記載と整合させるものであり、明りょうでない記載の釈明を目的とするものである。
　そして、訂正事項ａないしｄは、いずれも新規事項の追加には該当しないし、特許請求の範囲を実質上拡張したり変更したりするものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３．特許異議申立てについて
（１）本件発明
　上記２．で示したように上記訂正が認められるから、本件の請求項１に係る発明（以下、「本件発明」という。）は、平成１６年３月１５日付けの訂正明細書の特許請求の範囲の請求項１に記載された事項により特定されるとおりのものである。（上記２．（１）［訂正事項ａ］参照）
　
（２）刊行物１記載の発明
　当審が通知した取消しの理由で引用した刊行物１（特開平６−４３７６５号公報）には次のような技術事項が対応する図面と共に記載されている。
ａ）【課題を解決するための手段】
　本発明は、上記の課題を、トナー像を形成する像担持体と接触可能に配置される無端ベルト状中間転写体を有し、該中間転写体に転写されたトナー像を転写材に転写する画像形成装置において、潜像担持体より離間している中間転写体を像担持体より中間転写体への転写時と共に中間転写体上のトナー像を転写材に転写するときにも潜像担持体に当接することを特徴とした画像形成装置により解決した。
【作用】
　本発明により、画像形成装置ではトナー像を中間転写体より転写材に転写するときに、中間転写体を潜像担持体に当接するので中間転写体は潜像担持体よりも駆動力を受けることができ、転写材の押圧による中間転写体の駆動力不足を防止できる。
　潜像担持体を帯電することにより、より大きな駆動力を潜像担持体より受けることができる。
　中間転写体に清掃手段を当接して清掃するときにも潜像担持体又は転写材転写手段に当接することにより潜像担持体より駆動力を受け、清掃手段の押圧による中間転写体の駆動力不足を防止できる。
　又潜像担持体又は転写材転写手段を帯電することにより、大きな駆動力を潜像担持体又は転写材転写手段より受けることができる。（段落【０００６】〜【００１０】参照）
ｂ）次にカラープリンター２の概要を説明する。書き込み光学ユニット８は、カラースキャナー１からのカラー画像データを光信号に変換して、原稿画像に対応した光書き込みを行ない、潜像担持体としての感光体ドラム９に静電潜像を形成する。
　感光体ドラム９は矢印の如く反時計方向に回転するが、その回りには感光体クリーニングユニット（クリーニング前除電器を含む）１０、除電ランプ１１、帯電器１２、電位センサー１３、Ｂｋ現像器１４、Ｃ現像器１５、Ｍ現像器１６、Ｙ現像器１７、現像濃度パターン検知器１８、担持体としての中間転写ベルト１９などが配置されている。各現像器は、静電潜像を原稿するために現像剤を感光体９に対向させるよう回転する現像スリーブ１４ａ、１５ａ、１６ａ、１７ａと、現像剤を汲み上げ・攪拌するために回転する現像パドル１４ｂ、１５ｂ、１６ｂ、１７ｂおよび現像剤のトナー濃度検知センサー１４ｃ、１５ｃ、１６ｃ、１７ｃなどで構成されている。現像動作の順序（カラー画像形成順序）を、Ｂｋ、Ｃ、Ｍ、Ｙの例で以下説明する。ただし、画像形成順序はこれに限定されるものではない。（段落【００１６】〜【００１７】参照）
ｃ）　中間転写ベルト１９の動き方は、１色目のＢｋトナー像のベルト転写が後端部まで終了した後の動作方式として次の３通りが考えられるが、この中の１方式かまたはコピーサイズに応じて（コピー速度面などで）効率的な方式の組合わせによって動作させる。
　１）一定速往動方式
　１．Ｂｋトナー像のベルト転写後も、そのまま一定速で往動を続ける。
・・・
　２）スキップ往動方式
　１．Ｂｋトナー像のベルト転写が終了したら、感光体９の面からベルト１９を離間させ、そのままの往動方向に高速スキップさせて所定量を移動したら当初の往動速度に戻す。
・・・
　３）往復動（クイックリターン）方式
　１．Ｂｋトナー像のベルト転写が終了したら、感光体９の面からベルト１９を離間させ、そして往動を停止させると同時に逆方向に高速リターンさせる。
　リターンは、ベルト１９の面上のＢｋ画像先端位置がベルト転写相当位置を逆方向に通過し、さらに予め設定された距離分を移動した後に停止させて待機状態にする。
・・・（段落【００２８】〜【００４５】参照）
ｄ）中間転写ベルトユニットの本発明における接離動作は、一例として図３に従って制御される。図３において、ａ〜ｘの各項は夫々の作動工程を示し、例えばａはプリントスタート信号、ｂはＰＣドラム駆動モータ、ｃはＰＣＣ、クリーニングユニット、除電ランプ、帯電器の作動、ｄは読み取りスキャナスタート信号、ｅはスキャナモータ速度、ｆは原稿先端位置信号（ＬＥ信号）、ｇは原稿画像読み取り、ｈはポリゴン同期信号、ｉは画像データ書き込み、ｊは転写基準信号、ｋはＢｋ現像スリーブ、ｌはＣ現像スリーブ、ｍはＭ現像スリーブ、ｎはＹ現像スリーブ、ｏは現像パドル、ｏ′は現像バイアス、ｐは中間転写ベルト駆動速度、ｑはベルト転写バイアス若しくは感光体ドラムの帯電バイアス、ｒはベルト接離（対ＰＣ面）、ｓは紙転写バイアス、ｔはパイアスローラ接離、ｕはベルトクリーナ接離、ｖは給紙コロ、ｗはレジストローラ、ｘは定着搬送モータの各作動工程を示す。図では紙面の都合で工程ａ〜ｊを示す図３Ａと、工程ｋ〜ｐを示す図３Ｂと、工程ｑ〜ｘを示す図３Ｃに分割して示すので、図３Ａ〜図３Ｃを合わせて１つの図として見る必要がある。
　中間転写ベルト１９の面に形成された画像はｓ項に示す紙転写接離のタイミングで接離機構２３ｃにより紙転写ユニット２３が押圧され転写紙に一括転写される。そのとき中間転写ベルト１９はｒ項に示すベルト接離（対ＰＣ面）のタイミングで感光体ドラム９に接離機構（図示なし）で押圧され、また感光体ドラム９はｑ項に示す帯電バイアスのタイミングで帯電器１２により帯電される。（段落【００５４】〜【００５５】参照）
　
　以上の記載を対比のためにまとめると、
　図３ｃの中間転写ベルト駆動速度の作動行程ｐ、ベルト転写バイアス若しくは感光体ドラムの帯電バイアスの作動行程ｑ、ベルト接離（対ＰＣ面）の作動行程ｒによれば、感光体ドラム９上に形成されるトナー像の中間転写ベルトへの転写中に中間転写ベルトに所定電位を印加するとともに、３色目のトナー像まではトナー像の中間転写ベルトへの転写終了後は中間転写ベルトを感光体ドラムから離脱させるとともに所定電位の印加を停止させ、４色目のトナー像については中間転写ベルトへの転写が終了しても、少なくとも中間転写ベルト上のカラートナー像を転写紙に転写する間までは、中間転写ベルトを感光体ドラムに当接させ続けるとともに所定の電位を印加し続けるものであり、
　刊行物１には次のような発明が対応する図面と共に記載されている。
「ア）静電潜像が形成される感光体ドラム９と、静電潜像を複数色のトナーのいずれかで現像して感光体ドラム９上にトナー像を形成する現像器１４〜１７と、感光体ドラム９と接触回転し各色のトナー像を順次転写してカラートナー像を形成する中間転写ベルト１９と、中間転写ベルト１９上に形成されたカラートナー像を転写紙に転写する紙転写ユニット２３とを有する画像形成装置。
イ）感光体ドラム９上に形成されるトナー像の中間転写ベルトへの転写中に中間転写ベルトに所定電位を印加するとともに、３色目まではトナー像の中間転写ベルトへの転写終了後は中間転写ベルトへの所定電位の印加を停止させる。
ウ）４色目のトナー像については中間転写ベルトへの転写が終了しても、少なくとも中間転写ベルト上のカラートナー像を転写紙に転写する間までは、中間転写ベルトに所定の電位を印加し続ける。」
　
（３）対比・判断
　まず、本件発明は像担持体上に形成された各色トナー像を中間転写体に転写する際の中間転写体の動き方について特に規定するものではない。
　そこで、本件発明を刊行物１記載の発明と対比すると、
ａ）刊行物１記載の発明の「感光体ドラム９」、「現像器１４〜１７」、「中間転写ベルト１９」、「転写紙」、「紙転写ユニット２３」は、それぞれ本件発明の「像担持体」、「現像手段」、「中間転写体」、「記録媒体」、「転写手段」に相当し、
ｂ）刊行物１記載の発明は、中間転写体上に形成されるカラートナー像の記録媒体への転写を開始する前である３色目までは、像担持体上に形成されるトナー像を中間転写体へ転写する間は中間転写体を像担持体に当接させるとともに中間転写体に所定電位を印加し、転写が終了すると中間転写体を像担持体から離脱させるとともに所定電位の印加を停止させるものであり、
　以上のことから、両者間には次のような一致点、相違点がある。
（一致点）
　静電潜像が形成される像担持体と、前記静電潜像を複数色のトナーのいずれかで現像して前記像担持体上にトナー像を形成する現像手段と、前記像担持体と接触回転し各色の前記トナー像を順次転写してカラートナー像を形成する中間転写体と、前記中間転写体上に形成された前記カラートナー像を記録媒体に転写する転写手段とを有する画像形成装置において、
　前記中間転写体上に形成される前記カラートナー像の前記記録媒体への転写を開始する前は、前記像担持体上に形成される前記トナー像の前記中間転写体への転写中に前記中間転写体に所定電位を印加するとともに前記トナー像の前記中間転写体への転写終了後は前記所定電位の印加を停止させる画像形成装置。
（相違点）
　本件発明が、中間転写体上に形成されるカラートナー像の記録媒体への転写を開始した後は、カラートナー像の記録媒体への転写中に像担持体上に形成されるトナー像の中間転写体への転写が終了しても、カラートナー像の記録媒体への転写が終了するまでは所定電位の印加を停止させることなく継続するものであるのに対して、刊行物１記載の発明は像担持体上に形成されるトナー像の中間転写体への転写が終了しても、引き続きカラートナー像の記録媒体への転写が終了するまで中間転写体に対して所定電位の印加を停止させることなく継続するものである点
（相違点の検討）
　まず、刊行物１の図３Ａ、図３Ｂ、図３Ｃに図示されたカラー複写装置の基本動作タイミングチャートについてみてみる。
　発明の詳細な説明には基本動作タイミングチャートについて充分な説明はないが、図３Ａ、図３Ｂ、図３Ｃには、刊行物１記載の発明の基本動作タイミングについて当業者ならば具体的な作動行程が理解できる程度に記載されている。ただし、使用している記録媒体のサイズについて明確な記載はない。
　しかし、図３Ｃの紙転写バイアス作動工程ｓにＡ４：３．２ｓｅｃ、ベルトクリーナ接離作動工程ｕにＡ４：０．９ｓｅｃと記載されていること、
　また、Ａ４サイズの記録媒体が通常よく使用されるサイズであること、
　さらに特許権者が平成１６年３月１５日に提出した特許異議意見書の１４頁以降において主張するように、中間転写体から記録媒体への転写が開始される前にトナー画像の中間転写体上への転写が終了するものであって、中間転写体の周長の半分くらいしか使用していないこと、
　Ａ４サイズの倍の長さのＡ３サイズを最大使用サイズとする画像形成装置が周知であること（特開平５−３０３２８８号公報の段落【００３０】、特開平６−５９５９３号公報の段落【００１４】参照）
　以上のことを合わせ考慮すると、当業者ならば図３Ａ、図３Ｂ、図３Ｃに図示された画像記録装置の基本動作タイミングチャートはＡ４サイズのものであると理解するのが普通である。
　そこで、刊行物１には「なお、転写紙カセット３０、３１、３２、３３には各種サイズの転写紙が収納されており、操作パネル（図示なし）で指定されたサイズ紙の収納カセットからタイミングを取ってレジストローラ２６の方向に給紙、搬送される。ＯＨＰ用紙や厚紙などのために手差し給紙トレイ３４を設けることもできる。」（段落【００５２】参照）とあり、複数サイズの記録媒体に画像形成が可能な画像形成装置が記載されており、一方上記したようにＡ３を使用最大サイズとすることが周知であるから、刊行物１記載の発明の画像形成装置の基本動作タイミングチャートに基づいて、Ａ３サイズの記録媒体に画像形成できるように動作タイミングチャートを変更することは当業者ならば普通に考えつくことである。
　その場合、トナー像を中間転写体に転写開始する位置から中間転写体上のカラートナー像を記録媒体に転写開始する位置までの中間転写体の移動距離は記録媒体のサイズにかかわらず同じであるから、Ａ３サイズの場合は紙転写バイアスの作動行程ｓにおいて中間転写体上に形成されるカラートナー像の記録媒体への転写を開始した後に、像担持体上に形成されたトナー像の中間転写体への転写が終了することになり（この点に関しては異議申立人が平成１６年６月２５に提出した回答書の５頁以降に説明されている。）、刊行物１記載の発明は中間転写体への転写が終了してもカラートナー像の記録媒体への転写が終了するまでは中間転写体が像担持体に当接し続けるとともに、所定電位の印加を停止させることなく継続するというものであるから、結局のところ「中間転写体上に形成されるカラートナー像の記録媒体への転写を開始した後は、カラートナー像の記録媒体への転写中に像担持体上に形成されるトナー像の中間転写体への転写が終了しても、カラートナー像の記録媒体への転写が終了するまでは所定電位の印加を停止させることなく継続する」というタイミングチャートとなる。
　このように、上記相違点は刊行物１記載の発明をＡ３サイズの記録媒体で実行しようとしたとき、当業者ならば容易に考えつくことができた構成の変更である。
　
（４）特許権者の主張に対する見解
　特許権者は平成１６年９月６日付け回答書において、次のように主張している。
（４−１）刊行物１には、図３に単にシーケンスチャートのみ例示される中間転写ベルトユニットの動作がどのようなサイズの転写紙を対象とするものであるかの明示はなく、ましてやＡ３サイズの転写紙が利用できることについては記載も示唆もありません。
（４−２）このように、そもそも、刊行物１の発明は、本件発明における「１次転写バイアスの変動による悪影響が２次転写に生じる」という問題認識を全く有しておらず、刊行物１に記載されている発明の解決する技術課題（目的）は、本件発明が解決する技術課題（目的）、即ち、「１次転写と２次転写が同時に行われることによる画像への悪影響を防止する」こととは全く異なるものです。
　
（４−１）については、上の（３）（相違点の検討）で述べたように、図３Ａ、図３Ｂ、図３Ｃに図示された画像記録装置の基本動作タイミングチャートは当業者ならばＡ４サイズのものと理解するのが普通であるし、上記したようにＡ３を最大使用サイズとする画像形成装置は周知であるから、この点に関する特許権者の主張は採用できない。
（４−２）については、刊行物１記載の発明は転写紙への転写時に中間転写ベルトを感光体ドラムに当接させることによって転写材の押圧による中間転写体の駆動力不足を防止するものであり、具体的には当接している間、中間転写ベルトへ所定の電位を印加し続けるものである。
　本件発明と刊行物１記載の発明はその解決すべき課題を異にするものではあるが、刊行物１記載の発明の画像形成装置でＡ３サイズの記録媒体に画像を形成しようとすれば、上でも述べたようにその作動行程は本件発明と同様の作動行程となるものであり、刊行物１に１次転写バイアスの変動による悪影響が２次転写に生じるという問題認識が記載されていないからといって、本件発明が刊行物１記載の発明に基づいて当業者が容易に発明をすることができたものではないとすることはできず、この点に関する特許権者の主張も採用できない。
　
（５）むすび
　以上のとおりであるから、本件発明は刊行物１記載の発明及び周知技術に基づいて当業者が容易に発明をすることができたものであるから、特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年９月２８日（２００４．９．２８）
【訂正の要旨】
審決（決定）の【理由】欄参照。
（５４）【発明の名称】
画像形成装置
（５７）【特許請求の範囲】
　【請求項１】　静電潜像が形成される像担持体と、
　前記静電潜像を複数色のトナーのいずれかで現像して前記像担持体上にトナー像を形成する現像手段と、
　前記像担持体と接触回転し各色の前記トナー像を順次転写してカラートナー像を形成する中間転写体と、
　前記中間転写体上に形成された前記カラートナー像を記録媒体に転写する転写手段とを有する画像形成装置において、
　前記中間転写体上に形成される前記カラートナー像の前記記録媒体への転写を開始する前は、前記像担持体上に形成される前記トナー像の前記中間転写体への転写中に前記中間転写体に所定電位を印加するとともに前記トナー像の前記中間転写体への転写終了後は前記所定電位の印加を停止させ、
　前記中間転写体上に形成される前記カラートナー像の前記記録媒体への転写を開始した後は、
前記カラートナー像の前記記録媒体への転写中に
、
【発明の詳細な説明】
　【０００１】
　【産業上の利用分野】
　本発明は、例えばプリンタ或は複写機等とされる電子写真プロセスを利用した画像形成装置に関し、特に、中間転写体を備えた画像形成装置に関するものである。
　【０００２】
　上記画像形成装置における電子写真感光体としてはローラ形状体（ドラム形状体）、ベルト形状体等であり、また、中間転写体は、ローラ形状体（ドラム形状体）、ベルト形状体等である。さらに、記録媒体としては、転写紙、記録紙、印刷紙、カード、封書、葉書等であり、その材質は紙に限られない。
　【０００３】
　【従来の技術】
　従来この種の画像形成装置は、図１７に示すような構成を備えていた。すなわち、その略中央に像担持体である感光ドラム５１を有し、その周囲に回転方向に沿って、一次帯電器５７、イエロー現像器（以下Ｙ現像器と略す）５３、マゼンタ現像器（以下Ｍ現像器と略す）５４、シアン現像器（以下Ｃ現像器と略す）５５、ブラック現像器（以下Ｂｋ現像器と略す）５６、中間転写体としての中間転写ドラム５０、感光ドラムクリーナ６０を備えている。
　【０００４】
　また、中間転写体５０の周囲には、中間転写体クリーナ６０及び転写ローラ６１を備え、それぞれ中間転写体５０に対して接離可能とされている。さらに、画像形成装置は中間転写体５０と転写ローラ６１とのニップ部にタイミングを合わせて転写紙などの記録媒体６４を送給するレジストローラ６３、記録媒体６４を中間転写体５０から分離するため除電するコロナ帯電器５８、及び定着器６２を備えている。
　【０００５】
　以下に上記構成の画像形成装置の動作を説明する。感光ドラム５１は帯電ローラ５７によって帯電される。次に不図示のコントローラより出力された画像データに基づき、レーザ走査ユニット５２によって感光ドラム５１に潜像が形成される。潜像はＹ現像器５３により現像され、感光ドラム５１上にイエローのトナー像が形成される。イエローのトナー像は不図示の高圧電源により中間転写体５０に印加されたバイアスにより感光ドラム５１から中間転写体５０に一次転写される。このとき中間転写体５０に転写されずに感光ドラム５１に残ったトナーは感光ドラムクリーナ６０によってクリーニングされる。以下、上記と同様にして、Ｍ現像器５４、Ｃ現像器５５、Ｂｋ現像器５６によって形成されたトナー像が中間転写体５０に重ね転写される。
　【０００６】
　このようにして中間転写体５０上に４回転でフルカラー画像が形成される。５回転目に中間転写体５０上のトナー像に同期するように不図示の給紙部より給紙された記録媒体６４がレジストローラ６３によりタイミングをとられて、中間転写体５０と転写ローラ６１のニップ部に送られる。このとき転写ローラ６１は記録媒体６４がニップ部にくる直前に中間転写体５０に当接される。そして記録媒体６４にトナー像が転写され、コロナ帯電器５８にＡＣバイアスが印加されることにより、記録媒体６４が中間転写体５０より分離される。次いで定着器６２においてトナー像は永久画像として記録媒体６４に定着される。中間転写体５０上に残ったトナーは中間転写体クリーナ５９が当接されることによりクリーニングされる。
　【０００７】
　なお、次頁以降の印字動作は、トナー像が記録媒体へ二次転写された後に行なわれる。
　【０００８】
　【発明が解決しようとする課題】
　しかしながら、上記従来例では、中間転写体５０上にフルサイズの画像を形成する場合に、１回の画像形成に中間転写体５０を５回転させる必要があった。
　【０００９】
　また、４回転フルサイズの画像形成を行なおうとした場合には、感光ドラム５１から中間転写体５０への１次転写と、中間転写体５０から記録媒体６４への２次転写が、４色目のブラックのとき、画像の一部でオーバーラップしてしまうため、中間転写体５０を接地電位にし、感光ドラム５１にトナーの帯電極性と同極性の電位を印加しなければならなかった。
　【００１０】
　この場合、１次転写バイアスの変動による悪影響が２次転写に生じることがあった。
　【００１１】
　また、中間転写体５０の周長が例えばＡ３サイズであって、中間転写体１回転でＡ４横サイズの画像を２枚分形成する場合に、給紙カセット内の記録媒体の残量は０枚か１枚以上であるかのいずれかであることしか検知できず、前記２枚分の画像形成時に記録媒体の残量が１枚である場合に、その１枚の転写を行なった後、残りの１枚分のトナー像をクリーニングしなければならなかった。このため中間転写体クリーナの負担が大きく、機内汚れが発生することがあった。
　【００１２】
　従って、本発明の第１の目的は、１次転写と２次転写が同時に行なわれることによる画像への悪影響を防止できる画像形成装置を提供することである。
　【００１３】
　本発明の第２の目的は、中間転写体の４回転目の、感光体から中間転写体への１次転写バイアス印加中に、中間転写体から記録媒体への２次転写を開始しても、画像への悪影響を与えることのない画像形成装置を提供することである。
　【００１４】
　本発明の第３の目的は、連続印字を行なう際に、ｎ枚目の印字の２次転写の途中から、ｎ＋１枚目の印字の１色目の１次転写が開始される時に画像へ悪影響を与えることのない画像形成装置を提供することである。
　【００１５】
　【００１６】
　【課題を解決するための手段】
　上記目的は本発明に係る画像形成装置にて達成される。要約すれば、本発明は、静電潜像が形成される像担持体と、
　前記静電潜像を複数色のトナーのいずれかで現像して前記像担持体上にトナー像を形成する現像手段と、
　前記像担持体と接触回転し各色の前記トナー像を順次転写してカラートナー像を形成する中間転写体と、
　前記中間転写体上に形成された前記カラートナー像を記録媒体に転写する転写手段とを有する画像形成装置において、
　前記中間転写体上に形成される前記カラートナー像の前記記録媒体への転写を開始する前は、前記像担持体上に形成される前記トナー像の前記中間転写体への転写中に前記中間転写体に所定電位を印加するとともに前記トナー像の前記中間転写体への転写終了後は前記所定電位の印加を停止させ、
　前記中間転写体上に形成される前記カラートナー像の前記記録媒体への転写を開始した後は、
前記カラートナー像の前記記録媒体への転写中に
、
　【００１７】
　【００１８】
　【００１９】
　【実施例】
　以下、本発明に係る画像形成装置を図面に則して更に詳しく説明する。
　【００２０】
　実施例１
　本発明による画像形成装置の実施例１について図１を参照して説明する。同図において画像形成装置は、略中央に像担持体である感光ドラム２を有し、その上方にレーザ走査ユニット１２、またその周囲に一次帯電器である帯電ローラ７、現像器ユニット１６、中間転写体１、及び感光ドラムクリーナ１０を備えている。また中間転写体１の周囲には中間転写体１に接離可能な転写ローラ１１、コロナ帯電器８、中間転写体１に接離可能な中間転写体クリーナ９、及び定着器１５を備えている。
　【００２１】
　現像器ユニット１６はイエロー現像器３（以下Ｙ現像器と略す）、マゼンタ現像器４（以下Ｍ現像器と略す）、シアン現像器５（以下Ｃ現像器と略す）、ブラック現像器６（以下Ｂｋ現像器と略す）から構成されており、それぞれの現像器が回転可能で感光ドラム２に順次当接可能とされている。
　【００２２】
　中間転写体１の周長は、例えばＡ３サイズの画像を形成可能として、（Ａ３サイズの縦長）＋（現像器切替え時間）×（プロセススピード）に所定のマージンを持たせた設定とされている。
　【００２３】
　次に図１〜図３を用いて本実施例の画像形成装置におけるＡ３サイズのフルカラー１枚または間欠の印字動作について説明する。
　【００２４】
　感光ドラム２は帯電ローラ７によりマイナスに均一に帯電される。そして、不図示の画像データ生成部より送出されるデータによってレーザ走査ユニット１２のレーザ光により、感光ドラム２上に潜像が形成される。この潜像はＹ現像器３によって、マイナスに帯電されたイエローのトナーによって現像され、トナー像とされる。
　【００２５】
　このようにして感光ドラム２上に形成されたイエローのトナー像は、感光ドラム２が図１で示す矢印方向に回転し、中間転写体１と接触する部分で中間転写体１に印加されたプラスのバイアス（接地電位に対して＋１００〜２０００Ｖ位）により１次転写される。
　【００２６】
　このとき、中間転写体１が図２（ａ）に示す位置にくる直前に中間転写体１に対して１次転写バイアスが印加開始され、図２（ｂ）の位置まできた直後に１次転写バイアスの印加が終了する。このときのタイミングは図３のシーケンスチャートに示すＹ１次転写バイアスのようになる。
　【００２７】
　中間転写体１上に転写されずに感光ドラム２上に残ったトナーはクリーナ１０によりクリーニングされる。
　【００２８】
　次にイエローのトナー像と同じ位置にマゼンタのトナー像が転写されるタイミングで、イエローの場合と同様にしてマゼンタのトナー像が形成、転写される。このときのマゼンタの１次転写バイアスの出力タイミングは図３のシーケンスチャートで示されるようになる。
　【００２９】
　次に上記２色のトナー像と同じ位置にシアンのトナー像が転写されるタイミングで、上記と同様にしてシアンのトナー像が形成、転写される。このときのシアンの１次転写バイアスの出力タイミングは図３のシーケンスチャートで示されるようになる。
　【００３０】
　イエロー、マゼンタ、シアンのトナー像が中間転写体１上に形成された後、４回転目にブラックのトナー像が転写され、４色のフルカラー画像が記録媒体１４に転写される。以下にその手順を示す。
　【００３１】
　図２（ａ）に示されるように中間転写体１上の３色分のトナー画像の先端が感光ドラム２とのニップ部でブラックのトナー像が１次転写されるように潜像形成、トナーの現像が行なわれる。
　【００３２】
　そして、図２（ｃ）で示されるように４色のフルカラー画像の先端が転写ローラ１１とのニップ部に来る直前に、２次転写バイアスが転写ローラ１１に印加される。このときの２次転写バイアスの値は中間転写体電位に対して１〜５ｋＶ位が適している（接地電位に対しては中間転写体電位（１００〜２０００Ｖ）＋（１〜５ｋＶ）。
　【００３３】
　なお、記録媒体１４に転写が開始され、画像後端が中間転写体クリーナ９のブレード位置を過ぎたところで、クリーナ９が中間転写体１に当接され、中間転写体のクリーニングが開始される。
　【００３４】
　そして、図２（ｄ）で示されるように画像後端の１次転写が終わったところででも中間転写体１に１次転写のための印加バイアスは継続される。
　【００３５】
　さらに図２（ｅ）で示されるように中間転写体１のフルカラーのトナー像が記録媒体に２次転写が終わった直後に１次転写バイアス、２次転写バイアスともに印加終了する。
　【００３６】
　以上のバイアスの印加シーケンスは図３のシーケンスチャートに示される通りである。中間転写体１上のトナー画像の後端部分がクリーナ９の位置を過ぎたところでクリーナ９は離間され、中間転写体１の回転が終了する。２次転写された記録媒体１４はコロナ帯電器８にＡＣバイアスを印加することにより除電分離され、定着器１５により定着され、フルカラーの印字出力を得る。
　【００３７】
　なお、図２中、中間転写体上の画像領域外の画像後端から画像先端までの部分は多色印字時に現像器ユニット１６を切替えるためのものであり、（画像領域外の周長）＞（現像器切替え時間）×（プロセススピード）である。
　【００３８】
　なお、上記説明においては４色カラー印字の動作について説明したが、単色の印字動作の場合には最終色（上記説明ではブラック）の潜像形成、現像、１次転写、２次転写のシーケンスのみとなる。
　【００３９】
　次に上記画像形成装置のＡ３サイズのフルカラー連続印字のシーケンスについて、図４のシーケンスチャートを更に参照して説明する。
　【００４０】
　１枚目の印字ではＹ、Ｍ、Ｃの１次転写に関しては上記Ａ３の１枚印字の場合と同様である。４回転目に図２（ａ）で示されるように中間転写体１上の３色分のトナー画像の先端が感光ドラム２とのニップ部でブラックのトナー像が１次転写されるように潜像形成、トナーの現像が行なわれる。
　【００４１】
　次に、図２（ｃ）で示されるように、４色のトナー像の先端が転写ローラ１１とのニップ部に来る直前に転写ローラ１１が中間転写体１に当接され、レジストローラ１３により中間転写体１のトナー像に同期して記録媒体１４が搬送され、記録媒体１４にトナー像が接触する直前に２次転写バイアスが転写ローラ１１に印加される。
　【００４２】
　次いで、記録媒体１４に画像が２次転写され始めた後、画像後端がクリーナ９のブレード位置を過ぎたところで、クリーナ９が中間転写体１に当接され、クリーニングが開始される。中間転写体１への１次転写バイアスは記録媒体への２次転写中も維持され、図２（ｆ）で示されるように画像先端位置が感光ドラムと接触する位置で２枚目のイエローのトナー像が転写されるように、２枚目のイエロー画像の潜像形成、現像が行なわれる。
　【００４３】
　なお、図２（ｅ）で示されるように記録媒体に１枚目のトナー像が転写され終わった時点で２次転写バイアスの印加が終了し、転写ローラ１１が離間される。そしてトナー像後端がクリーナ９のブレードを過ぎたところで、クリーナ９が離間される。図２（ｂ）で示すようにイエローのトナー像が中間転写体１に転写された時点で１次転写バイアスの印加が終わる。
　【００４４】
　以下１枚目の印字と同様にしてマゼンタ以降のトナー像形成が行なわれる。以上のシーケンスは図４のシーケンスチャートに示す通りである。
　【００４５】
　次に本実施例の装置のＡ４横サイズの１枚または間欠の印字動作について図１、図５及び図６を用いて説明する。
　【００４６】
　感光ドラム２は帯電ローラ７によりマイナスに均一に帯電される。そして、不図示の画像データ生成部より送出されるデータによってレーザ走査ユニット１２のレーザ光により、感光ドラム２上に潜像が形成される。この潜像はＹ現像器３によって、マイナスに帯電されたイエローのトナーによって現像されトナー像とされる。
　【００４７】
　このようにして感光ドラム２上に形成されたイエローのトナー像は、感光ドラム２が、図１に示す矢印方向に回転し、中間転写体１と接触する部分で中間転写体１に印加されたプラスのバイアス（接地電位に対して＋１００〜２０００Ｖ位）により１次転写される。このとき、図５（ａ）の位置の直前で中間転写体に１次転写バイアスが印加開始され、図５（ｂ）で示されるＡ４横の画像後端位置まできた直後でバイアス印加が終了する。このときのタイミングは図６のシーケンスチャートに示すＹ１次転写バイアスのようになる。中間転写体１上に転写されずに感光ドラム２上に残ったトナーはクリーナ１０によりクリーニングされる。
　【００４８】
　次に上記イエローのトナー像と同じ位置にマゼンタのトナー像が転写されるタイミングで、イエローの場合と同様にしてマゼンタのトナー像が形成、転写される。このときのマゼンタの１次転写バイアスの出力タイミングは図６のシーケンスチャートで示されるようになる。
　【００４９】
　次に上記２色のトナー像と同じ位置にシアンのトナー像が転写されるタイミングで、上記と同様にしてシアンのトナー像が形成、転写される。このときのシアンの１次転写バイアスの出力タイミングは図６のシーケンスチャートで示されるようになる。
　【００５０】
　イエロー、マゼンタ、シアンのトナー像が中間転写体１上に形成された後、４回転目にブラックのトナー像が転写され、４色のフルカラー画像が記録媒体１４に転写される。以下にその手順を示す。
　【００５１】
　まず、図５（ａ）で示されるように中間転写体１上の３色分のトナー画像の先端が感光ドラムとのニップ部でブラックのトナー像が１次転写されるように潜像形成、トナーの現像が行なわれる。そして、図５（ｂ）で示されるようにＡ４横の画像後端位置まできた直後でバイアス印加が終了する。
　【００５２】
　その後、図５（ｃ）で示されるように、４色のフルカラー画像の先端が転写ローラ１１のニップ部に来る直前に転写ローラ１１は中間転写体１に当接される。そして、レジストローラ１３により中間転写体１の画像に同期して記録媒体１４が搬送され、記録媒体１４にトナー像が接触する直前にプラスの２次転写バイアスが転写ローラ１１に印加される。このときの２次転写バイアスの値は中間転写体（接地）電位に対して１〜５ｋＶが適している。
　【００５３】
　なお転写が開始され、画像先端がクリーナ９のブレード位置に来る前に、クリーナ９が中間転写体９に当接され、中間転写体のクリーニングが開始される。そして、図５（ｅ）で示されるように中間転写体１のフルカラーのトナー像が記録媒体に２次転写が終わった直後に２次転写バイアスが印加終了する。以上のバイアスの印加シーケンスは図６に示されるとおりである。中間転写体１上のトナー画像の後端部分がクリーナ９の位置を過ぎたところでクリーナ９は離間され、中間転写体１の回転が終了する。
　【００５４】
　２次転写された記録媒体はコロナ帯電器８にＡＣバイアスを印加することにより除電分離され、定着器１５により定着され、フルカラーの印字出力を得る。
　【００５５】
　つぎにＡ４横サイズのフルカラー連続印字のシーケンスについて説明する。なお、１枚目の印字ではイエロー、マゼンタ、シアンの１次転写に関しては上記Ａ４横の１枚印字の場合と同様なので省略し、以下に連続印字時の１枚目の４回転目以降についてのみ、図１、５及び７を参照して説明する。
　【００５６】
　図５（ａ）に示されるように、４回転目に中間転写体１上の３色分のトナー画像の先端が感光ドラム２とのニップ部でブラックのトナー像が１次転写されるように潜像形成、トナーの現像が行なわれる。図５（ａ）から図５（ｂ）の状態まで１次転写バイアスが印加され、中間転写体１上に４色のトナー像が形成される。
　【００５７】
　次いで、図５（ｃ）に示されるように、４色のトナー像の先端が転写ローラ１１とのニップ部に来る直前に転写ローラ１１は中間転写体１に当接され、レジストローラ１３により中間転写体１のトナー像に同期して記録媒体１４が搬送され、記録媒体１４にトナー像が接触する直前に１次転写バイアス及び２次転写バイアスが印加される。このときのバイアス値はＡ３の印字の場合と同じである。
　【００５８】
　なお、記録媒体に転写が開始され、画像先端がクリーナ９のブレード位置に来る前に、クリーナ９が中間転写体１に当接され、中間転写体１のクリーニングが開始される。
　【００５９】
　次に、図５（ｄ）に示されるように、中間転写体１上に２枚目のイエローのトナー画像の先端が感光ドラム２とのニップ部でイエローのトナー像が１次転写されるように潜像形成、トナーの現像が行なわれ、図５（ｄ）に示される位置でイエローの２枚目の１次転写が開始される。
　【００６０】
　次いで、図５（ｅ）に示されるように、中間転写体１上の１枚目のフルカラーのトナー像が記録媒体１４に２次転写が終わった直後に２次転写バイアスの印加が終了する。以下１枚目の場合と同様にして２枚目以降の印字が行なわれる。
　【００６１】
　実施例２
　次に、本発明による画像形成装置の実施例２について、図８〜１２を参照して説明する。なお図８において、図１に示す部材と同一の部材については同符号を付してある。
　【００６２】
　図８において画像形成装置は、略中央に像担持体である感光ドラム２を有し、その上方にレーザ走査ユニット１２、またその周囲に一次帯電器である帯電ローラ７、現像器ユニット１６、中間転写体１、及び感光ドラムクリーナ１０を備えている。さらに中間転写体１の周囲には中間転写体１に接離可能な転写ローラ１１、コロナ帯電器８、中間転写体１に接離可能な中間転写体クリーナ９、及び定着器１５を備えている。
　【００６３】
　現像器ユニット１６はＹ現像器３、Ｍ現像器４、Ｃ現像器５、Ｂｋ現像器６から構成されており、それぞれの現像器が回転可能で感光ドラム２に順次当接可能とされている。
　【００６４】
　中間転写体１の周長は、例えばＡ３サイズの画像を形成可能として、（Ａ３サイズの縦長）＋（現像器切替え時間）×（プロセススピード）に所定のマージンを持たせた設定とされている。
　【００６５】
　次に図８〜図１０を用いて本実施例の画像形成装置におけるＡ３サイズのフルカラー１枚または間欠の印字動作について説明する。
　【００６６】
　感光ドラム２は帯電ローラ７によりマイナスに均一に帯電される。そして、不図示の画像データ生成部より送出されるデータによってレーザ走査ユニット１２のレーザ光により、感光ドラム２上に潜像が形成される。この潜像はＹ現像器３によって、マイナスに帯電されたイエローのトナーによって現像されトナー像とされる。
　【００６７】
　このようにして感光ドラム２上に形成されたイエローのトナー像は感光ドラム２が、図８で示す矢印方向に回転し、中間転写体１と接触する部分で中間転写体１に印加されたプラスのバイアス（接地電位に対して＋１００〜２０００Ｖ位）により１次転写される。このとき、中間転写体１が図９（ａ）に示す位置にくる直前に中間転写体１に対して１次転写バイアスが印加開始され、図９（ｂ）の位置まできた直後に１次転写バイアスの印加が終了する。このときのタイミングは図１０のシーケンスチャートに示すＹ１次転写バイアスのようになる。
　【００６８】
　中間転写体１上に転写されずに感光ドラム２上に残ったトナーはクリーナ１０によりクリーニングされる。
　【００６９】
　次にイエローのトナー像と同じ位置にマゼンタのトナー像が転写されるタイミングで、イエローの場合と同様にしてマゼンタのトナー像が形成、転写される。このときのマゼンタの１次転写バイアスの出力タイミングは図１０のシーケンスチャートで示されるようになる。
　【００７０】
　次に上記２色のトナー像と同じ位置にシアンのトナー像が転写されるタイミングで、上記と同様にしてシアンのトナー像が形成、転写される。このときのシアンの１次転写バイアスの出力タイミングは図１０のシーケンスチャートで示されるようになる。
　【００７１】
　イエロー、マゼンタ、シアンのトナー像が中間転写体１上に形成された後、４回転目にブラックのトナー像が転写され、４色のフルカラー画像が転写媒体１４に転写される。以下にその手順を示す。
　【００７２】
　図９（ａ）で示されるように中間転写体１上の３色分のトナー画像の先端が感光ドラム２とのニップ部でブラックのトナー像が１次転写されるように潜像形成、トナーの現像が行なわれる。
　【００７３】
　そして、図９（ｃ）で示されるように４色のフルカラー画像の先端が転写ローラ１１のニップ部に来る直前に、転写ローラ１１が中間転写体１に当接される。そして、レジストローラ１３により中間転写体１の画像に同期して記録媒体１４が搬送され、記録媒体１４にトナー像が接触する直前にプラスの２次転写バイアスが転写ローラ１１に印加される。このときの２次転写バイアスの値は中間転写体電位に対して１〜５ｋＶ位が適している（接地電位に対しては中間転写体電位（１００〜２０００Ｖ）＋（１〜５ｋＶ）。
　【００７４】
　なお、記録媒体１４に転写が開始され、画像先端が中間転写体クリーナ９のブレード位置を過ぎたところで、クリーナ９が中間転写体９に当接され、中間転写体のクリーニングが開始される。
　【００７５】
　そして、図９（ｄ）で示されるように画像後端の１次転写が終わったところででも中間転写体１に１次転写のための印加バイアスは継続される。
　【００７６】
　さらに図９（ｅ）で示されるように中間転写体１のフルカラーのトナー像が記録媒体に２次転写が終わった直後に１次転写バイアス、２次転写バイアスともにが印加終了する。
　【００７７】
　以上のバイアスの印加シーケンスは図１０のシーケンスチャートに示される通りである。
　【００７８】
　中間転写体１上のトナー画像の後端部分がクリーナ９の位置を過ぎたところでクリーナ９は離間され、中間転写体１の回転が終了する。２次転写された記録媒体はコロナ帯電器８にＡＣバイアスを印加することにより除電分離され、定着器１５により定着され、フルカラーの印字出力を得る。
　【００７９】
　なお、図９中、中間転写体上の画像領域外の画像後端から画像先端までの部分は多色印字時に現像器ユニット１６を切り替えるためのものであり、（画像領域外の周長）＞（現像器切り替え時間）×（プロセススピード）である。
　【００８０】
　なお、上記説明においては４色カラー印字の動作について説明したが、単色の印字動作の場合には最終色（上記説明ではブラック）の潜像形成、現像、１次転写、２次転写のシーケンスのみとなる。
　【００８１】
　次に上記画像形成装置のＡ３サイズのフルカラー連続印字のシーケンスについて説明する。
　【００８２】
　１枚目の印字ではＹ、Ｍ、Ｃの１次転写に関しては上記Ａ３の１枚印字の場合と同様である。４回転目に図９（ａ）で示されるように中間転写体１上の３色分のトナー画像の先端が感光ドラム２とのニップ部でブラックのトナー像が１次転写されるように潜像形成、トナーの現像が行なわれる。
　【００８３】
　次に、図９（ｃ）で示されるように、４色のトナー像の先端が転写ローラ１１とのニップ部に来る直前に転写ローラ１１は中間転写体１に当接され、レジストローラ１３により中間転写体１のトナー像に同期して記録媒体１４が搬送され、記録媒体にトナー像が接触する直前に２次転写バイアスが転写ローラ１１に印加される。
　【００８４】
　次いで、記録媒体に画像が２次転写され始めた後、画像後端がクリーナ９のブレード位置を過ぎたところで、クリーナ９が中間転写体１に当接され、クリーニングが開始される。中間転写体１への１次転写バイアスは記録媒体への２次転写中も維持され、図９（ｆ）で示されるように画像先端位置が感光ドラムと接触する位置で２枚目のイエローのトナー像が転写されるように、２枚目のイエロー画像の潜像形成、現像が行なわれる。
　【００８５】
　なお、図９（ｅ）で示されるように記録媒体に１枚目のトナー像が転写され終わった時点で２次転写バイアスの印加が終了し、転写ローラ１１が離間される。そしてトナー像後端がクリーナ９のブレードを過ぎたところで、クリーナ９が離間される。図９（ｂ）で示すようにイエローのトナー像が中間転写体１に転写された時点で１次転写バイアスの印加が終わる。
　【００８６】
　以下１枚目の印字と同様にしてマゼンタ以降のトナー像形成が行なわれる。以上のシーケンスは図１１のシーケンスチャートに示すようになる。
　【００８７】
　次に本実施例の装置のＡ４横サイズの印字動作について図８、図１２及び図１３を用いて説明する。
　【００８８】
　感光ドラム２は帯電ローラ７によりマイナスに均一に帯電される。そして、不図示の画像データ生成部より送出されるデータによってレーザ走査ユニット１２のレーザ光により、感光ドラム２上に潜像が形成される。前記潜像はＹ現像器３によって、マイナスに帯電されたイエローのトナーによって現像される。
　【００８９】
　このようにして感光ドラム２上の形成されたイエローのトナー像は、感光ドラム２が、図１に示す矢印方向に回転し、中間転写体１と接触する部分で中間転写体１に印加されたプラスのバイアス（接地電位に対して＋１００〜２０００Ｖ位）により１次転写される。このとき、図１２（ａ）の位置の直前で中間転写体に１次転写バイアスが印加開始され、図１２（ｂ）で示されるＡ４横の画像後端位置まできた直後でバイアス印加が終了する。
　【００９０】
　中間転写体１上に転写されずに感光ドラム２上に残ったトナーはクリーナ１０によりクリーニングされる。
　【００９１】
　次に上記イエローのトナー像と同じ位置にマゼンタのトナー像が転写されるタイミングで、イエローの場合と同様にしてマゼンタのトナー像が形成、転写される。
　【００９２】
　次に上記２色のトナー像と同じ位置にシアンのトナー像が転写されるタイミングで、上記と同様にしてシアンのトナー像が形成、転写される。
　【００９３】
　イエロー、マゼンタ、シアンのトナー像が中間転写体１上に形成された後、４回転目にブラックのトナー像が転写され、４色のフルカラー画像が記録媒体１４に転写される。以下にその手順を示す。
　【００９４】
　４回転目に図１２（ａ）で示されるように中間転写体１上の３色分のトナー画像の先端が感光ドラム２とのニップ部でブラックのトナー像が１次転写されるように潜像形成、トナーの現像が行なわれる。図１２（ａ）の状態から１次転写バイアスが印加され、中間転写体１上に４色のトナー像が形成される。
　【００９５】
　その後、図１２（ｃ）で示されるように、４色のトナー像の先端が転写ローラ１１とのニップ部に来る直前に転写ローラ１１は中間転写体１に当接され、レジストローラ１３により中間転写体１のトナー像に同期して記録媒体１４が搬送され、記録媒体１４にトナー像が接触する直前に２次転写バイアスが印加される。このときの２次転写バイアスの値は中間転写体電位に対して１〜５ｋＶ位が適している（接地電位に対しては中間転写体電位（１００〜２０００Ｖ）＋（１〜５Ｋｖ））。
　【００９６】
　１次転写バイアスは図１２（ｄ）で示されるように画像の１次転写位置を過ぎても印加が継続される。記録媒体に転写が開始され、画像先端がクリーナ９のブレード位置に来る前に、クリーナ９が中間転写体のクリーニングが開始される。
　【００９７】
　そして、図１２（ｅ）で示されるように中間転写体１上の１枚目のフルカラーのトナー像が記録媒体に２次転写が終わった直後に１次転写バイアス、２次転写バイアスともに印加終了する。以下１枚目の場合と同様にして２枚目以降の印字が行なわれる。以上のシーケンスを図１３に示す。
　【００９８】
　実施例３
　次に、本発明による画像形成装置の実施例３について図１４〜１６を参照して説明する。なお図１４において、図１に示す部材と同一の部材については同符号を付してある。
　【００９９】
　図１４において画像形成装置は、略中央に像担持体である感光ドラム２を有し、その上方にレーザ走査ユニット１２、またその周囲に一次帯電器である帯電ローラ７、現像器ユニット１６、中間転写体１、及び感光ドラムクリーナ１０を備えている。さらに中間転写体１の周囲には中間転写体１に接離可能な転写ローラ１１、コロナ帯電器８、中間転写体１に接離可能な中間転写体クリーナ９、及び定着器１５を備えている。
　【０１００】
　現像器ユニット１６はＹ現像器３、Ｍ現像器４、Ｃ現像器５、Ｂｋ現像器６から構成されており、それぞれの現像器が回転可能で感光ドラム２に順次当接可能とされている。
　【０１０１】
　また、記録媒体１４を収容する記録媒体積載手段である給紙カセット２２は、給紙カセット２２から記録媒体１４を１枚ずつ送給するための給紙ローラ２１、及びカセット２２内の記録媒体１４の残量を検知するための検知手段である紙残検知センサ２３を備えており、記録媒体１４は、搬送手段である搬送ガイド２０、中間転写体１と転写ローラ１１とのニップ部にタイミングをみて記録媒体１４を送給する給紙レジストローラ１３を介して上記ニップ部に搬送可能とされている。また、給紙ローラ２１は２次転写前に記録媒体１４を搬送ガイド２０を通り給紙レジストローラ１３のところまであらかじめ搬送可能とされている。
　【０１０２】
　中間転写体１の周長は、例えばＡ４横サイズ２枚またはＡ３サイズの画像を形成可能として、（Ａ３サイズの縦長）＋（現像器切り替え時間）×（プロセススピード）＋（Ａ４横サイズ２枚貼時の紙間）に所定のマージンを持たせた設定である。
　【０１０３】
　以下に図１４〜１６を用いて本実施例の装置のＡ４横サイズのトナー像を中間転写体上に２枚形成する連続印字で給紙カセットに記録媒体が３枚ある場合について説明する。なお、Ａ３サイズの印字などについては実施例１と同じである。
　【０１０４】
　感光ドラム２は帯電ローラ７によりマイナスに均一に帯電される。そして、不図示の画像データ生成部より送出される。データによってレーザ走査ユニット１２のレーザ光により、感光ドラム２上に潜像が形成される。前記潜像はＹ現像器３によって、マイナスに帯電されたイエローのトナーによって現像される。
　【０１０５】
　このようにして感光ドラム２上に形成されたイエローのトナー像は感光ドラム２が、図１４で示す矢印方向に回転し、中間転写体１と接触する部分で中間転写体１に印加されたプラスのバイアス（接地電位に対して＋１００〜２０００Ｖ位）により１次転写される。このとき、図１５（ａ）に示す状態の直前で中間転写体に１次転写バイアスが印加開始され、１枚目のトナー像が１次転写され、図１５（ｂ）の位置から２枚目のトナー像が１次転写される。
　【０１０６】
　次いで、図１５（ｃ）の位置まできた直後に１次転写バイアス印加が終了する。このときのタイミングは図１６のシーケンスチャートで示されるようになる。
　【０１０７】
　中間転写体１上に１次転写されずに感光ドラム２上に残ったトナーはクリーナ１０によってクリーナ１０によってクリーニングされる。
　【０１０８】
　また、装置がトナー像を形成するのに平行して、中間転写体１が図１５（ｃ）で示す位置になるより以前に、図１４に示すように給紙ローラ２１によって記録媒体１４がレジストローラ１３の位置まで搬送される。
　【０１０９】
　次に上記イエローのトナー像と同じ位置にマゼンタのトナー像が転写されるタイミングで、イエローの場合と同様にしてマゼンタのトナー像が形成、転写される。このときのマゼンタの１次転写バイアスの出力タイミングは図１６のシーケンスチャートで示されるようになる。
　【０１１０】
　次に上記２色のトナー像と同じ位置にシアンのトナー像が転写されるタイミングで、上記と同様にしてシアンのトナー像が形成、転写される。このときのシアンの１次転写バイアスの出力タイミングは図１６のシーケンスチャートで示されるようになる。
　【０１１１】
　イエロー、マゼンタ、シアンのトナー像が中間転写体１上に形成された後、４回転目にブラックのトナー像が転写され、４色のフルカラー画像が記録媒体に転写される。以下にその手順を示す。
　【０１１２】
　まず、図１５（ａ）で示されるように中間転写体１上の３色分のトナー画像の先端が感光ドラムとのニップ部でブラックのトナー像が１次転写されるように潜像形成、トナーの現像が行なわれる。
　【０１１３】
　次に図１５（ｄ）で示されるように、４色のフルカラー画像の１枚目の先端が転写ローラ１１とのニップ部に来る直前に転写ローラ１１は中間転写体１に当接される。
　【０１１４】
　そして、レジストローラ１３の位置まで予め搬送されていた記録媒体１４が中間転写体１のトナー像に同期して搬送され、記録媒体にトナー像が接触する直前にプラスの２次転写バイアスが転写ローラ１１に印加される。このときの２次転写バイアスの値は中間転写体電位に対して１〜５ｋＶ位が適している（接地電位に対しては中間転写体電位（１００〜２０００Ｖ）＋（１〜５ｋＶ））。
　【０１１５】
　なお、記録媒体１４がレジストローラ１３により２次転写ニップに搬送され始めたところで、給紙ローラ２１により２枚目の記録媒体が搬送される。また、記録媒体に転写が開始され、２枚目のトナー像の画像後端がクリーナ９のブレード位置を過ぎたところで、クリーナ９が中間転写体１に当接され、中間転写体のクリーニングが開始される。
　【０１１６】
　次いで、図１５（ｆ）で示されるように２枚目の２次転写が開始されたところで３枚目の記録媒体がレジストローラ１３のところまで搬送開始される。
　【０１１７】
　３枚目の記録媒体は図１５（ｇ）で示される状態になるまでには、レジストローラ１３のところまで搬送される。それにより紙残量検知センサ２３によって、不図示の装置制御部は記録媒体が無い場合のシーケンスを実行する。以下にそれを示す。なお、１枚目の２次転写の途中で図１６及び図１５（ｅ）に示すように３枚目の１次転写が開始される。
　【０１１８】
　不図示の制御部は３枚目、４枚目のイエローの１色目を上記１枚目、２枚目と同様に１次転写する（図１６参照）。そして、２色目以降のマゼンタ、シアン、ブラックのとき、３枚目のトナー像を前記同様に１次転写するが、４枚目のトナー像が感光ドラム２上にあり、かつそれが中間転写体１と接触する部分で（図１５（ｂ）から１５（ｃ）で示される間）中間転写体１にマイナスのバイアス（−１〜−３ｋＶ）を印加することによって、感光ドラム上のマゼンタ、シアン、ブラックのトナー像が中間転写体１に転写されないようにし、かつイエローのトナー像を感光ドラム２上に戻しそのトナーをクリーナ１０でクリーニングする。
　【０１１９】
　４色目の３枚目のトナー像を形成し終わった時（図１５（ｂ））中間転写体に印加されたマイナスの逆転写バイアスは図１５（ｆ）から図１５（ｇ）で示される３枚目の記録媒体への２次転写中も印加され続け、記録媒体への２次転写バイアスの印加終了とともに印加終了する。
　【０１２０】
　また図１５（ｆ）で示される位置で印加開始される２次転写バイアスは１〜５ｋＶに中間転写体電位（−１〜−３ｋＶ）を加えたものとなる。以上のシーケンスは図１６のシーケンスチャートに示されるようになる。
　【０１２１】
　なお、制御部（不図示）は画像形成部（不図示）に４枚目の画像を形成できなかったことを所定の信号で伝達し、画像制御部は給紙カセット２２に記録媒体が補給された後、４枚目からの画像を出力する。
　【０１２２】
　【発明の効果】
　以上の説明から明らかなように、本発明による画像形成装置は、中間転写体上に形成されるカラートナー像の記録媒体への転写を開始する前は、像担持体上に形成されるトナー像の中間転写体への転写中に中間転写体に所定電位を印加するとともにトナー像の中間転写体への転写終了後は所定電位の印加を停止させ、中間転写体上に形成されるカラートナー像の記録媒体への転写を開始した後は、
カラートナー像の記録媒体への転写中に
、
【図面の簡単な説明】
　【図１】
　本発明による画像形成装置の第１実施例を示す概略構成図である。
　【図２】
　図１の画像形成装置のＡ３サイズのフルカラー１枚又は間欠の印字動作を説明するための説明図である。
　【図３】
　図２に示す印字動作に関するシーケンスチャートである。
　【図４】
　図１の画像形成装置のＡ３サイズのフルカラー連続印字動作を説明するためのシーケンスチャートである。
　【図５】
　図１の画像形成装置のＡ４横サイズの１枚又は間欠の印字動作を説明するための説明図である。
　【図６】
　図５に示す印字動作に関するシーケンスチャートである。
　【図７】
　図１の画像形成装置のＡ４横サイズのフルカラー連続印字動作を説明するためのシーケンスチャートである。
　【図８】
　本発明による画像形成装置の第２実施例を示す概略構成図である。
　【図９】
　図８の画像形成装置のＡ３サイズのフルカラー１枚又は間欠の印字動作を説明するための説明図である。
　【図１０】
　図９に示す印字動作に関するシーケンスチャートである。
　【図１１】
　図８の画像形成装置のＡ３サイズのフルカラー連続印字動作を説明するためのシーケンスチャートである。
　【図１２】
　図８の画像形成装置のＡ４横サイズの１枚又は間欠の印字動作を説明するための説明図である。
　【図１３】
　図１２に示す印字動作に関するシーケンスチャートである。
　【図１４】
　本発明による画像形成装置の第３実施例を示す概略構成図である。
　【図１５】
　図１の画像形成装置のＡ４横サイズのトナー像を中間転写体に２枚形成する連続印字動作を説明するための説明図である。
　【図１６】
　図１５の印字動作に関するシーケンスチャートである。
　【図１７】
　従来の画像形成装置の一例を示す概略構成図である。
　【符号の説明】
　１　中間転写体
　２　感光ドラム（像担持体）
　１１　転写ローラ（転写手段）
　１４　記録媒体
　１６　現像手段
　２０　搬送ガイド（搬送手段）
　２２　給紙カセット（記録媒体積載手段）
　２３　紙残検知センサ（検知手段）